(57)【要約】【課題】フイラメントを適宜の巻き径、巻き数に成形する構造と異なり、サークル形状ランプとして成形できる。従って、既存のスポット型ヒーターに比べて集光範囲が制約されず、近赤外線ランプはサークル形状でかつ反射ミラーは楕円断面の回転体形状であるため、加熱対象物を円周方向から均一かつ高効率に集光せしめて加熱できる。またサークル形状ランプのため、サークル径の選択等により加熱目的に応じた出力が可能となる。【解決手段】一端側に結合用の環状開口を有し、他端側に環状のビーム照射口を有する環状反射面を持った外側ミラーを設け、上記の環状開口から挿入される円錐反射面を有する内側ミラーを設け、かつサークル形状ランプの発光部を焦点に持つ前記外側ミラーの環状反射面と内側ミラーの円錐反射面とによって形成された楕円断面の回転体形状の反射ミラーとから成る加熱装置である。【選択図】図１
2008198476.tif 000002
【特許請求の範囲】
【請求項１】
環状反射面を有する外側ミラーと、該環状反射面内に挿入される円錐反射面を有する内側ミラーと、サークル形状ランプの発光部を焦点に持つ前記の外側ミラーの環状反射面と内側ミラーの円錐反射面によって形成された楕円断面の回転体形状の反射ミラーと、から成る近赤外線サークル型加熱装置。
【請求項２】
外側ミラーは一端側に設けた結合用の環状開口部と、他端側に設けたビーム照射口と、内周面に形成した環状反射面及び外周面に設けた冷却用の凹所部と、前記環状開口部側の環状反射面の端縁に形成した環状垂直面と、前記環状開口部の外周に突出した環状鍔に形成した環状の切り込み段部と、前記環状開口部に互いに対向して形成した支持凹所と、を備えたことを特徴とする請求項１に記載の近赤外線サークル型加熱装置。
【請求項３】
内側ミラーは環状段部と、該環状段部の一面側に形成した環状平坦面とこれに連続する環状垂直面と更にこれに連続する円錐反射面と、他面側に形成した冷却用の環状段部と、前記円錐反射面の中心に一端が開口され、他端が外面に開口する貫通孔と、を備えたことを特徴とする請求項１に記載の近赤外線サークル型加熱装置。
【請求項４】
一端が内側ミラーの円錐反射面に開口された送気口と、他端が内側ミラーの外面に開口された排気口と、を備えたことを特徴とする請求項３に記載の近赤外線サークル型加熱装置。
【請求項５】
サークル形状ランプはリング状のチューブ本体と、該チューブ本体の互いに対向する位置に一体に設けた引き出しチューブと、上記のチューブ本体に内装したリング状のフィラメントと、該フィラメントに接続された上記の引き出しチューブ内にそれぞれ配置した引き出しリード線と、を備えたことを特徴とする請求項１ないし４記載の近赤外線サークル型加熱装置。
【請求項６】
リング状のチューブ本体から互いに対向して分岐された引き出しチューブは、外側ミラーの結合用の環状開口部に互いに対向して設けた支持凹所に嵌挿支持されると共に上記支持凹所に連通して前記の外側ミラーに結合される内側ミラーとの結合部に設けた端子収容部に導出したことを特徴とする請求項１ないし５記載の近赤外線サークル型加熱装置。
【請求項７】
外側ミラーの結合用の環状開口部から内側ミラーの円錐反射面を進入せしめて、内側ミラーの環状段部を外側ミラーの環状の切り込み段部に嵌め込んで着脱可能に結合すると共に外側ミラーの環状垂直面と内側ミラーの環状垂直面とを密接係合させて環状反射面と円錐反射面とによりサークル形状ランプを焦点にもつ楕円断面の回転体形状の反射ミラーを形成したことを特徴とする請求項２ないし６記載の近赤外線サークル型加熱装置。
【発明の詳細な説明】
【技術分野】
【０００１】
本発明は加熱対象物が例えばガラス材料とか、鉄・ガラス等のアニール或いは金型などの加熱・加工等の際に使用して好適な装置であって、サークル形状ランプからのヒートビームを加熱対象物の周面上から高効率で集光せしめるようにした近赤外線サークル型加熱装置に関する。
【背景技術】
【０００２】
この種の加熱対象物を例えば加熱・加工する際、従来から種々の構造の加熱装置が提案されていた。例えば比較的小さい加熱対象物の場合には、図９に概略的に示したような加熱装置が用いられていた。即ち、断面が半球状に形成された反射ミラー１００内に球状のバルブ１０１を装着し、該バルブ１０１内にフィラメントをラセン状に一定径、かつ一定長に巻いた発光部（焦点位置）１０２を内装した、いわゆる集光型のスポット型ヒーターとして構成されていた。しかし、このようなスポット型ヒーターでは、フィラメント１０２の巻き形状がそのまま焦点位置１０３に現れるため、ビームをフィラメント１０２の巻き範囲より小さく集光させることはできなかった。換言すれば、フィラメント１０２の巻き径以下の加熱対象物に対して高効率で集光せしめることができないばかりか、バルブ１０１に依存してフィラメント１０４の巻き径、巻き数にも限度があることから高出力仕様の加熱装置といっても、加熱能力の密度という意味で限界があった。
【発明の開示】
【発明が解決しようとする課題】
【０００３】
本発明が解決しようとする課題は、近赤外線ランプをサークル形状とし、該サークル形状ランプの発光部を焦点に持つ着脱構造の外側ミラーと内側ミラーとにより形成した楕円断面の回転体形状の反射ミラーとすることによって、発光部をサークル形状に形成でき、該サークル形状ランプからのヒートビームを加熱対象物の円周上から均一かつ高効率に集光させて加熱でき、しかも加熱目的に応じて加熱能力の密度を任意に選択でき、そして適切な出力とすることにより無駄な出力を排除でき、かつまた、加熱装置の組立て及び分解が簡単に行えるようにした近赤外線サークル型加熱装置を提供するものである。
【０００４】
本発明において、加熱対象物の高さ方向への対応、又は高温加熱への対応は、加熱装置のサークル形状ランプを任意の段数に重ねたり、サークル径を選択することで対処することが可能である。例えば加熱対象物が小さい場合は、サークル形状ランプを１段構造とした加熱装置により対応し、また加熱対象物が大きい場合、或いは小さい加熱対象物であっても特に高温・急速加熱を必要とする場合は、サークル形状ランプを例えば２段、３段等のように複数段に重ねる構造、或いはランプのサークル径を適宜選択して、加熱目的に応じたワット数の選択も可能である。このように、加熱対象物の種類、サイズ、その他種々の条件によって、適宜対応させることができる。
【０００５】
本発明において加熱対象物を加熱する場合、主としてサークル形状ランプの発光部からのヒートビームを加熱対象物の周面上から均一に集光させ、所望の目的を達成せしめるが、対象目的によってはビームの集光ではなくリング状の形態で加熱する場合もある。このような加熱の場合はヒートビームが集光される少し手前の位置に加熱対象物をセットし、ヒートビームがリング状に集光される部分を利用して加熱すればよい。更にまた、加熱制御は、例えばサークル形状ランプの出力制御と加熱装置での温度制御のいずれかの方法が可能であり、加熱温度の素早い立ち上がり・立ち下がり特性、レスポンスのよい温度制御手段等については特に制限されることはなく、最も好ましいシーケンスが採用される。
【課題を解決するための手段】
【０００６】
本発明のサークル型加熱装置は請求項１に記載のように、環状反射面を有する外側ミラーと、該環状反射面内に挿入される円錐反射面を有する内側ミラーと、サークル形状ランプの発光部を焦点に持つ前記の外側ミラーの環状反射面と内側ミラーの円錐反射面によって形成された楕円断面の回転体形状の反射ミラーと、から成る近赤外線サークル型加熱装置である。従って、既存のスポット型ヒータのように、フィラメントを適宜の巻き径、巻き数に成形する構造のものと異なり、サークル形状ランプとして成形することができるので、ワット数の増減が可能となる。サークル形状ランプは加熱対象物の周面上から均一に集光せしめるので高効率の熱量を得ることができ、加熱目的に応じてサークル径を選択すれば無駄な出力を排除でき、しかも加熱態様も加熱目的に応じて種々の形態で加熱できるため、加熱対象物も制約されない。
【０００７】
本発明の請求項２に記載した実施態様は、外側ミラーは一端側に設けた結合用の環状開口部と、他端側に設けたビーム照射口と、内周面に形成した環状反射面と、前記環状開口部側の環状反射面の端縁に形成した環状垂直面と、前記環状開口部の外周に設けた環状鍔の上面に形成した環状の切り込み段部と、前記環状開口部に互いに対向して形成した支持凹所と、を備えた近赤外線サークル型加熱装置である。従って、サークル形状ランプは互いに対向する２ケ所の支持凹所で外側ミラー内に安定した状態で吊持できる。また、支持凹所をガイドにしてサークル形状ランプの着脱作業が行える。更に、支持凹所に支持された引き出しチューブはそのまま端子収容部に導出されるため、外部電極との接続作業も簡単に行える。
【０００８】
本発明の請求項３に記載した実施態様は、内側ミラーは環状段部と、該環状段部の一面側に形成した環状平坦面とこれに連続する環状垂直面と更にこれに連続する円錐反射面と、他面側に形成した冷却用の環状段部と、前記円錐反射面の中心に一端が開口され、他端が外面に開口する貫通孔とを備えた近赤外線サークル型加熱装置である。従って、内側ミラーを外側ミラーに結合する際、内側ミラーの環状段部を外側ミラーの環状の切り込み段部をガイドにして結合することができる。また、測定用、制御用器具は貫通孔から円錐反射面の中心部に挿入されて装置内に導出されるため、加熱装置内の最も適切な温度分布の箇所に挿入して適正な温度測定が可能となり、かつ、測定用、制御用器具が反射されるヒートビームを邪魔することもない。貫通孔は内側ミラーの垂直方向に設けてあるため、測定用、制御用器具の挿抜操作も容易に行える。
【０００９】
本発明の請求項４に記載した実施態様は、一方端が内側ミラーの円錐反射面に開口され、他方端が内側ミラーの外面に開口された送気口および排気口を設けた近赤外線サークル型加熱装置である。従って、ビーム照射口に例えばプロテクトガラス仕様の加熱装置の場合でも、送気口より反射ミラー内に送気した空気がプロテクトガラスの接合面から加熱対象物側へ排気されることなく排気口から装置外へ排出されるので、反射ミラーの反射面およびプロテクトガラスの内面を常にクリーン化できると共に反射ミラー内に供給した空気が加熱対象物側へ流れて加熱対象物を冷却したり、汚損せしめたりすることもない。
【００１０】
本発明の請求項５に記載した実施態様は、サークル形状ランプはリング状のチューブ本体と該チューブ本体の互いに対向する位置に引き出しチューブを一体に有し、上記のチューブ本体にはリング状のフィラメントが内装され、該フイラメントは引き出しチューブ内にそれぞれ配置した引き出しリード線と接続した近赤外線サークル型加熱装置である。従って、フィラメントは入力側と出力側との間においてチューブ本体内で並列接続されるから発熱量が分散され、ワット数を上げてもフィラメントが局部的に加熱されることがなくなり延命化につながる。更に、発熱量の分散化によりサークル径も加熱目的に応じて選択できるため、無駄な出力が排除できる。
【００１１】
本発明の請求項６に記載した実施態様は、リング状のチューブ本体から互いに対向して分岐された引き出しチューブは、外側ミラーの環状開口部に互いに対向して設けた支持凹所に嵌挿支持されると共に上記支持凹所に連通して前記の外側ミラーに結合される内側ミラーとの結合部に設けた端子収容部に導出した、近赤外線サークル型加熱装置である。従って、引き出しチューブは一面が開口する支持凹所をガイドにして出し入れできるため、作業がやり易く、しかも引き出しチューブはそのまま端子収容部に導出できるため、外部電極との接続作業もやり易く、そして、接続部は端子収容部内に納められるため部品が露呈することもない。
【００１２】
本発明の請求項７に記載した実施態様は、外側ミラーの結合用開口部から内側ミラーの円錐反射面を挿入させて、内側ミラーの環状段部を外側ミラーの環状の切り込み段部に嵌め込んで着脱可能に結合すると共に外側ミラーの環状垂直面と内側ミラーの環状垂直面とを密接係合させて環状反射面と円錐反射面とによりサークル形状ランプを焦点にもつ楕円断面の回転体形状の反射ミラーを形成した、近赤外線サークル型加熱装置である。従って、外側ミラーと内側ミラーとを結合することによって楕円断面の回転体形状の反射ミラーを形成でき、しかも反射ミラーはサークル形状ランプを焦点にもつ構造であるため、サークル形状の発光部からのビームを高効率で集光せしめることができると共に高密度の発熱量を得ることができる。
【００１３】
更にまた、本発明の上述した請求項７に記載した実施態様により環状反射面と円錐反射面とによりサークル形状ランプを焦点にもつ楕円断面の回転体形状の反射ミラーが形成されるため、ランプ収容部を特別に考慮する必要はない。また、内側ミラーの円錐反射面は外側ミラーの結合用の環状開口部からスムースに出し入れできるためサークル形状ランプあるいはその他の部品の交換とか、当該加熱装置の点検、保守等に際して加熱装置の分解及び組立てが必要となった場合、その作業が簡単に行え、部品管理も容易である等の利点がある。熱源がサークル形状であるにも係わらず楕円断面の回転体形状の反射ミラーとによって、密度の高い効率的な集光が可能となる。
【発明の効果】
【００１４】
一端側に結合用の環状開口部を有し、かつ他端側にビーム照射口を有する外側ミラーの、上記結合用の環状開口部から環状反射面内に内側ミラーの円錐反射面を挿入することによって、サークル形状ランプを焦点に持つ外側ミラーの環状反射面と内側ミラーの円錐反射面によって形成される楕円断面の回転体形状の反射ミラーを構成する。従って、既存のスポット型ヒーターのように、フィラメントを適宜の巻き径・巻き数に仕上げる構造のものと異なり、サークル形状ランプとして成形することができるので、ワット数の増減が可能となり、既存のスポット型ヒーターに比べて高効率で集光させることができる。近赤外線ランプを焦点に持つ反射ミラーは楕円断面の回転体形状であるため、加熱対象物を円周方向から均一かつ高効率に集光させて加熱ができる。また、ランプはサークル形状のため、加熱目的に応じてサークル径を選択できるため無駄な出力を排除でき、しかも加熱装置は組立て及び分解が簡単に行える。
【発明を実施するための最良の形態】
【００１５】
本発明の実施例について図面を参照して説明するが、本発明は実施例の構造のみに限定されない。先ず、図面について説明すると、図１は本発明の実施例１による近赤外線サークル型加熱装置を概略的に示した縱断説明図である。図２は図１の加熱装置の主要部である外側ミラーを拡大して示した平面図である。図３は図２のＡ−Ａ線に沿って切断した断面説明図である。図４は図２のＢ−Ｂ線に沿って切断した断面説明図である。図５は図１の加熱装置の主要部である内側ミラーを拡大して示した平面図である。図６は図５のＣ−Ｃ線に沿って切断した断面説明図である。図７は加熱装置の主要部であるサークル形状ランプ部分を示した概略的平面図である。図８は本発明の実施例２による近赤外線サークル型加熱装置を概略的に示した縦断説明図である。図９は従来のスポット型ヒーターを概略的に示した説明図である。
【００１６】
図１において符号１は本発明の実施例１による近赤外線サークル型加熱装置の全体が総称して示してある。加熱装置１は主要部が外側ミラー２と、内側ミラー３と、サークル形状ランプ４とから構成されている。これらの外側ミラー２、内側ミラー３及びサークル形状ランプ４は互いに他と着脱可能な構造となっていて、必要に応じ分解及び組立てが簡単に行える。外側ミラー２は図２ないし図４に詳しく示してある。外側ミラー２は図２から明らかなように、平面からみると全体が円形状に形成され、かつ図３及び図４の断面からみると中空円筒状に一体成形してある。外側ミラー２はミラー本体５を備え、その内周面がわん曲する環状反射面６に形成してある。環状反射面６は公知のようにあらかじめ焦点位置が計算された設計仕様にしたがった反射角を持つ環状反射面６として形成され、該環状反射面６の全面には反射効率を上げるため金メッキが施してある。ミラー本体５の外周面には冷却用に用いられる環状凹所７が設けてある。
【００１７】
前記ミラー本体５の一端側の環状開口部８の外周縁には肉厚の環状鍔９が設けてあり、他端側のビーム照射口１０の外周縁には肉薄の環状鍔１１が設けてある。環状鍔９の図３において上面１２には内側ミラー３を結合するための環状切り込み段部１３が円周方向に沿って形成され、該環状切り込み段部１３の内周縁は上記の環状開口部８に開口されていて、環状垂直面１４を介して前記の環状反射面６の端縁１５に連接せしめてある。前記の環状鍔９の円周方向に適当な間隔を保って内側ミラー３を取り付けるための取付孔２ａが設けてある。そして、前記の切り込み段部１３に内側ミラー３が結合され、その取付孔２９と取付孔２ａとがねじ結合によって着脱可能に結合される。
【００１８】
外側ミラー２の環状開口部８には、図２において１８０度の間隔を保った互いに対向する位置に、一面が開口する支持凹所１６、１６が設けてある。これらの支持凹所１６、１６は環状鍔９にＵ字状に切り込んで形成してある。これらの支持凹所１６、１６にはサークル形状ランプ４の引き出しチューブ１７、１７が挿抜可能に嵌挿されて支持される。サークル形状ランプ４は図７に示されるように、リング状のチューブ本体１８を有する。チューブ本体１８には互いに対向した位置にかつ相反する方向に上記の引き出しチューブ１７、１７を有する一体構造である。
【００１９】
サークル状のチューブ本体１８を外側ミラー２内に適正状態で保持するために、チューブ本体１８は保持板１８ａ、１８ａで保持される。保持板１８ａ、１８ａは図７に示してある。すなわち、前記の支持凹所１６、１６と９０度の間隔を保って切り込み段部１３に盲ねじ９ａ、９ａが設けてあり、該盲ねじにねじ込んだタップねじに固定された保持板１８ａ、１８ａによって加圧され、適正状態を保持する。引き出しチューブ１７、１７は支持凹所１６、１６に挿入されて２ケ所で安定した状態で支持されることになる。
【００２０】
上記のチューブ本体１８内にはリング状に形成されたフィラメント１９が内装され、該フィラメント１９はチューブ本体１８内に適宜の箇所でスペーサにより短絡しないように保持してある。フィラメント１９のサークル径、その他の条件等は加熱対象物の加熱目的に応じて適宜選択される。フィラメント１９は引き出しチューブ１７、１７内に配線したリード線２０、２０にそれぞれ接続してある。前記の支持凹所１６、１６に嵌挿支持された引き出しチューブ１７、１７は、端子収容部２１、２１に夫々導出される。端子収容部２１、２１は外側ミラー２と内側ミラー３との結合部にねじ等の固定手段で着脱可能に取り付けた収容筒２４、２４により形成してある。
【００２１】
内側ミラー３は図５及び図６に詳細に示してある。内側ミラー３は図５の平面から見ると円形状をなし、図６の断面から見るとあらまし「Ｔ」字型の形状に一体成型してある。内側ミラー３は中実状の内側ミラー本体２５を備えている。このミラー本体２５には外側ミラー２の切り込み段部１３に嵌め込まれる環状段部２６が設けてある。この環状段部２６に連続する外筒保持用の環状段部２７と、更にこの環状段部２７に連続する冷却路用の環状段部２８とが階段状に設けてある。環状段部２６には円周方向に取付孔２９が複数設けてあり、この環状段部２６は前記の切り込み段部１３に密接して嵌合され、そして取付孔２９と前記の外側ミラー２の取付孔２ａとが合致され、ねじによる固定手段で着脱可能に結合される。
【００２２】
前記の環状段部２６の一面側、即ち図６において下面は環状平坦面３０に形成され、その内端側には環状垂直面３１を介して逆円錐状に形成された円錐反射面２３を備えている。円錐反射面２３の反射角度は加熱目的に応じてあらかじめ設計された仕様に従って成形されることは前記の外側ミラー２の環状反射面６と同様である。従って、図１に示すように外側ミラー２の環状開口部８から内側ミラー３の円錐反射面３２を挿入して結合せしめた場合、外側ミラー２の環状垂直面１５と内側ミラー３の環状垂直面３１とが係合密接することによって環状反射面６と円錐反射面３２とによりサークル形状ランプ４を焦点にもつ途切れのない楕円断面の回転体形状の反射ミラー３５が構成される。この反射ミラー３５によりサークル形状のランプから発光されるビームは点集光されることになる。
【００２３】
内側ミラー３の中心部には、一端が円錐反射面３２の頂部に開口し、他端が環状段部２８の上面に開口する貫通孔３６が明けてある。従って、貫通孔３６に例えば温度センサー等の測定用、制御用の器具を挿入すれば、反射ミラー３５内の最も適正な位置での温度制御が行える。貫通孔３６は温度制御用ばかりでなく、例えば加熱対象物の位置や焦点状態を確認したりする場合にも利用される。貫通孔３６と同一線上に位置して送気口３７と排気口３８が設けてある。これらの送気口３７及び排気口３８はその一端が前記の円錐反射面３２に開口され、他端は環状段部２８に開口させてある。これらの送気口３７及び排気口３８を用いる場合は、ビーム照射口１０にプロテクトガラス３９が装備された仕様の加熱装置の場合であり、反射ミラー３５内に吹き込んだエアーがプロテクトガラス３９の取付け面から排出されるのを防止するためである。
【００２４】
上記のプロテクトガラス３９は外筒４０のアングル４１によって支持され、ねじによる固定手段で前記の外側ミラー２に着脱可能に固定してある。外筒４０は外側ミラー２のまわりに配置されていて、ミラー本体５の環状凹所７とによりミラー本体の周りに冷却用の環状通路４２が形成される。前記の外筒４０には入口４３と出口４４とが設けてあり、入口４３から冷却媒体たとえば冷却水あるいは冷却空気を環状通路４２内に供給し、出口４４から排出して外部ミラー２の全体を冷却するようにしてある。しかるに、外側ミラー２は冷却下に置かれ、所望の機能が実現されることになる。
【００２５】
前記サークル形状ランプ４のチューブ本体１８は反射ミラーの収容部５０に収容される。ランプ収容部５０は前記の環状反射面６と円錐反射面３２とによって形成された楕円断面の回転体形状の反射ミラー３５が利用される。即ち、サークル形状ランプ４を焦点に持つ反射ミラー３５として形成されるため、サークル形状ランプ４の収容部を特別に考慮する必要がない。反射ミラー３５はサークル形状ランプ４のビームを効率的に集光せしめるための反射を行うよう設計される。前記引き出しチューブ１７、１７に埋設したリード線２０、２０は端子収容部２１、２１内に導出される。導出されたリード線は端子収容部２１、２１内で外部端子と接続され、接続端子５１、５１及びリード線５２、５２を介して電源側と接続される。
【００２６】
前記の内側ミラー３の環状段部２６と環状段部２７との間の係合段部５３には環状段部２８上から一面が開口する外筒５４が被嵌してある。外筒５４は環状段部２８に設けた盲ねじ５５、５５にねじ等による固定手段で着脱可能に取り付けてある。従って、前記の外筒５４と係合段部５６との間に冷却用通路５７が形成される。この冷却用通路５７には入口５８と出口５９とがそれぞれ設けてある。入口５８から前記の外側ミラー２の冷却手段と同様の冷却媒体を供給し、出口５９から排出して、内側ミラー３の全体を冷却下に置くことができる。しかるに、内側ミラー３は冷却下に置かれ、所望の機能が実現されることになる。
【００２７】
端子収容部２１、２１内で結合された外部端子５１、５１はリード線５２、５２を介して電源側に接続される。しかして、サークル形状のフイラメント１９に通電すれば、電流はチューブ本体１８で並列的に分散され、フイラメント１９が局部的に過熱されるのを回避できる。しかるに、サーク形状ランプ４から発光されるビーム６０は楕円断面の回転体形状の反射ミラー３５によって効率的に反射される。反射されたビーム６０は加熱対象物の周面上から均一に高効率で集光され、加熱対象物の効率的な加熱処理が可能となる。本発明の加熱装置によれば、フイラメントを巻いた既存のスポット型ヒーターの集光範囲に比べ遙に狭い範囲に集光させることが可能となる。
【００２８】
本発明の実施例２による近赤外線サークル型加熱装置は図８に概略的な縦断面で示してある。この加熱装置１Ａは前記で詳細に説明した第１実施例による加熱装置１と構造的には全く同じであるため、それと同じ部品には同じ番号を付し説明は省略するが、それと異なる点はサークル形状ランプ４からのビーム６０の焦点距離が異なる。即ち、サークル形状ランプ４を焦点に持つ楕円断面の回転体形状の反射ミラー３５の反射角を第１実施例の加熱装置のものに較べて、ビーム長を第１実施例の加熱装置１よりも短くし、焦点がヒーム照射口１０の近くで結ばれるようにする。このようなビーム長の選択は加熱対象物に依存する。  
【産業上の利用可能性】
【００２９】
本発明は、熱源である近赤外線ランプをサークル形状とし、該サークル形状ランプの発光部を焦点に持ちかつ着脱構造の外側ミラーと内側ミラーとにより形成した楕円断面の回転体形状の反射ミラーとすることによって、発光部をサークル形状に形成でき、かつランプ発光部からのビームを可能な限り狭い範囲に集光させて加熱対象物の円周上から均一かつ高効率に加熱でき、しかも加熱目的に応じた適切な出力とすることにより無駄な出力を排除でき、かつまた、加熱装置の組立て及び分解が簡単に行えるので、保守、点検等の好ましく加熱・加工および種々の熱的処理の分野において利用できる。
【図面の簡単な説明】
【００３０】
【図１】本発明の実施例１による近赤外線サークル型加熱装置を概略的に示した縱断説明図である。
【図２】図２は図１の加熱装置の主要部である外側ミラーを拡大して示した平面図である。
【図３】図２のＡ−Ａ線に沿って切断した断面説明図である。
【図４】図４は図２のＢ−Ｂ線に沿って切断した断面説明図である。
【図５】図１の加熱装置の主要部である内側ミラーを拡大して示した平面図である。
【図６】図５のＣ−Ｃ線に沿って切断した断面説明図である。
【図７】加熱装置の主要部であるサークル形状ランプ部分を示した概略的平面図である。
【図８】本発明の実施例２による近赤外線サークル型加熱装置を概略的に示した縦断説明図である。
【図９】従来のスポット型ヒータを概略的に示した説明図である。
【符号の説明】
【００３１】
１、１Ａ  加熱装置
２  外側ミラー
３  内側ミラー
４  サークル形状ランプ
６  環状反射面
８  環状開口部
９  環状鍔
１０  ビーム照射口
１３  切り込み段部
１４、３１  環状垂直面
１５  端縁
１６  支持凹所
１７  引き出しチューブ
１８  チューブ本体
１９  フイラメント
２１  端子収容部
２６、２７、２８  環状段部
３２  円錐反射面
３５  反射ミラー
３６  貫通孔
３７  送気口
３８  排気口
【図１】
2008198476.tif 000003
【図２】
2008198476.tif 000004
【図３】
2008198476.tif 000005
【図４】
2008198476.tif 000006
【図５】
2008198476.tif 000007
【図６】
2008198476.tif 000008
【図７】
2008198476.tif 000009
【図８】
2008198476.tif 000010
【図９】
2008198476.tif 000011